(57)【特許請求の範囲】
【請求項１】
先に送られていた第１画像データと新たに送られた第２画像データとの間に書き換えのあった領域を検出し、書き換えのあった領域の部分的な前記第２画像データのみを、画素毎に画素データが記憶されるメモリまたはメモリ効果のあるセルを有する表示パネルに送出させる更新領域検出部を備え、
前記更新領域検出部は、
ライン毎に、画素値に水平方向の表示アドレスの値を乗算した値を足し合わせた合計値であるチェックサムを求めるチェックサム生成部と、
前記第１画像データのライン毎の第１の前記チェックサムを保持できるメモリ部と、
第１の前記チェックサムと前記第２画像データのライン毎の第２の前記チェックサムとの比較で書き換えのあったラインを検出する比較部と、
を備え、
前記比較部は、第１の前記チェックサムと第２の前記チェックサムとをライン単位で比較し、不一致の場合に、前記メモリ部に第２の前記チェックサムをライン単位で書き込んで前記メモリ部に保持されている第１の前記チェックサムを更新する
表示装置。
【請求項２】
前記更新領域検出部は、前記チェックサム生成部が求めたチェックサムを構成するビットのうち、下位の数ビットを前記第１乃至第２チェックサムとして使用する請求項１記載の表示装置。
【請求項３】
先に送られていた第１画像データと新たに送られた第２画像データとの間に書き換えのあった領域を検出し、書き換えのあった領域の部分的な前記第２画像データのみを、画素毎に画素データが記憶されるメモリまたはメモリ効果のあるセルを有する表示パネルに送出させる更新領域検出部を備え、
前記更新領域検出部は、
前記表示パネルの画面を複数の領域に分けて設定されるブロック毎に、画素値に縦横方向の表示アドレスの値を乗算した値を足し合わせた合計値であるチェックサムを求めるチェックサム生成部と、
前記第１画像データのブロック毎の第１の前記チェックサムを保持できるメモリ部と、
第１の前記チェックサムと前記第２画像データのブロック毎の第２の前記チェックサムとの比較で書き換えのあったブロックを検出する比較部と、
を備え、
前記比較部は、第１の前記チェックサムと第２の前記チェックサムとをブロック単位で比較し、不一致の場合に、前記メモリ部に第２の前記チェックサムをブロック単位で書き込んで前記メモリ部に保持されている第１の前記チェックサムを更新する
表示装置。
【請求項４】
前記更新領域検出部は、前記チェックサム生成部が求めたチェックサムを構成するビットのうち、下位の数ビットを前記第１乃至第２チェックサムとして使用する請求項３記載の表示装置。
【請求項５】
ホストから送られたデータを前記表示パネルが表現できる画素の階調に応じて減色処理して前記第１画像データおよび前記第２画像データにする減色処理部をさらに備えている請求項１又は３記載の表示装置。
【請求項６】
先に送られていた第１画像データと新たに送られた第２画像データとの間に書き換えのあった領域を検出し、書き換えのあった領域の部分的な前記第２画像データのみを、画素毎に画素データが記憶されるメモリまたはメモリ効果のあるセルを有する表示パネルに送出させる更新領域検出部を備え、
前記更新領域検出部は、
ライン毎に、画素値に水平方向の表示アドレスの値を乗算した値を足し合わせた合計値であるチェックサムを求めるチェックサム生成部と、
前記第１画像データのライン毎の第１の前記チェックサムを保持できるメモリ部と、
第１の前記チェックサムと前記第２画像データのライン毎の第２の前記チェックサムとの比較で書き換えのあったラインを検出する比較部と、
を備え、
前記比較部は、第１の前記チェックサムと第２の前記チェックサムとをライン単位で比較し、不一致の場合に、前記メモリ部に第２の前記チェックサムをライン単位で書き込んで前記メモリ部に保持されている第１の前記チェックサムを更新する
表示装置を有する電子機器。
【請求項７】
先に送られていた第１画像データと新たに送られた第２画像データとの間に書き換えのあった領域を検出し、書き換えのあった領域の部分的な前記第２画像データのみを、画素毎に画素データが記憶されるメモリまたはメモリ効果のあるセルを有する表示パネルに送出させる更新領域検出部を備え、
前記更新領域検出部は、
前記表示パネルの画面を複数の領域に分けて設定されるブロック毎に、画素値に縦横方向の表示アドレスの値を乗算した値を足し合わせた合計値であるチェックサムを求めるチェックサム生成部と、
前記第１画像データのブロック毎の第１の前記チェックサムを保持できるメモリ部と、
第１の前記チェックサムと前記第２画像データのブロック毎の第２の前記チェックサムとの比較で書き換えのあったブロックを検出する比較部と、
を備え、
前記比較部は、第１の前記チェックサムと第２の前記チェックサムとをブロック単位で比較し、不一致の場合に、前記メモリ部に第２の前記チェックサムをブロック単位で書き込んで前記メモリ部に保持されている第１の前記チェックサムを更新する
表示装置を有する電子機器。
【発明の詳細な説明】
【技術分野】
【０００１】
本開示は、表示装置および電子機器に関し、特に、液晶の各画素に画像データを記憶するメモリを内蔵した表示装置であって、さらなる低消費電力化を実現する表示装置およびこのような表示装置を有する電子機器に関する。
【背景技術】
【０００２】
現在、画像表示を行うデバイスとして、様々な種類のデバイスが存在しているが、その多くは画像を保持することはなく、常に画像を書き続けなければ、表示は消滅してしまうものが多い。
【０００３】
たとえば、液晶表示装置では、液晶を交流で駆動する必要があるため、静止画を表示する場合であっても、６０Ｈｚ程度の周期で画素データを書き続ける。もう一つの理由として、画素内には画素データを保持するための保持容量（キャパシタ）が存在するが、この保持容量から電流がリークする経路があるため、一定時間以内に画素データを更新する必要がある。このリークの問題は、液晶デバイスに限らず、有機ＥＬ（Electro-Luminescence）ディスプレイでも、プラズマディスプレイでも同じである。
【０００４】
画像データを常に画素まで書き換え続けているということは、画素に接続する配線を常に駆動しており、配線の充放電という余計な電力を要する。この書き込み電力は、ディスプレイの画素数が増大するとそれに比例して増大し、また表示デバイスの面積が増大すると、その分、画素までの信号線の配線が長くなることにより、駆動電力の増大が必要になってくる。
【０００５】
また、画像データを常に表示デバイスに送り続けなければならないということは、表示デバイスまでの通信電力も消費していることを意味し、たとえば電子書籍のような長時間静止画を表示する用途には、消費電力の面で不利となる。
【０００６】
一方、画像を書き続けなくとも、表示を消滅させない（メモリ性を有する）表示デバイスとして、電子ペーパーと呼ばれるいくつかの方式のデバイスがある。これらは、材料自体が表示を保持するため、液晶デバイスなどのように静止画を保持するための書き換え動作は必要なく、静止画表示に特化した電子書籍という観点では、消費電力も少ないという点で優れている。しかし、一般に、電子ペーパーは、表示画像を書き換える場合、高電圧を必要とするため大きな電力を消費し、表示デバイスの書き換えに要する時間は、１００ｍｓｅｃ以上もかかっている。このため、電子ペーパーは、画像の書き換えを秒１０コマ未満しか実現できないため、秒３０コマ以上を必要とする動画表示はできない。しかも、近年のインターネットの画面では、画面の一部分に動画の広告などを出すようにしたり、小さな動画のウインドウを開くようにしたりするものがあるが、電子ペーパーは、表示画像の一部の書き換えを行うようなことはできない。
【０００７】
これに対し、液晶の交流駆動による充放電電力の消費の問題と、たとえ静止画の表示でも常に高速の画素データを液晶の画素までの通信させることによる電力消費の問題とを解決した技術が知られている（たとえば、特許文献１参照）。この技術によれば、各画素にＳＲＡＭ（Static Random Access Memory）またはＤＲＡＭ（Dynamic Random Access Memory）方式のメモリを持ち、画素データを記憶できるようにしている。これにより、静止画の表示の際には、メモリの画素データを直接書き込みでき、メモリまでの通品の必要がない。また、液晶の場合は、反転駆動を行う回路も持つことで、交流反転駆動を画素単位で行うことができ、容量負荷の大きな信号線の充放電も行う必要がなく、静止画表示時の電力を大幅に削減している。
【先行技術文献】
【特許文献】
【０００８】
【特許文献１】特開２０１０−１４５６６３号公報
【発明の概要】
【発明が解決しようとする課題】
【０００９】
しかし、画素にメモリを内蔵した表示装置では、静止画の表示に関して電力消費の削減に非常に有効であるが、部分的に更新する画像または動画を含む静止画については、電力消費の削減効果が得られていないという問題点があった。
【００１０】
本開示はこのような点に鑑みてなされたものであり、部分的に書き換えが行われる画像についても電力消費の削減効果を得ることができる表示装置および電子機器を提供することを目的とする。
【課題を解決するための手段】
【００１１】
上記の課題を解決するために、表示装置は、先に送られていた第１画像データと新たに送られた第２画像データとの間に書き換えのあった領域を検出し、書き換えのあった領域の部分的な前記第２画像データのみを、画素毎に画素データが記憶されるメモリまたはメモリ効果のあるセルを有する表示パネルに送出させる更新領域検出部を備えている。
【００１２】
また、上記の課題を解決するために、電子機器は、先に送られていた第１画像データと新たに送られた第２画像データとの間に書き換えのあった領域を検出し、書き換えのあった領域の部分的な前記第２画像データのみを、画素毎に画素データが記憶されるメモリまたはメモリ効果のあるセルを有する表示パネルに送出させる更新領域検出部を備えた表示装置を有する。
【発明の効果】
【００１３】
上記の表示装置および電子機器によれば、部分的に書き換えが行われる画像についても電力消費の削減効果を得ることができる。
【図面の簡単な説明】
【００１４】
【図１】実施の形態に係る表示装置の構成を示すブロック図である。
【図２】第１の実施の形態に係る表示装置の更新領域検出部の構成例を示すブロック図である。
【図３】第２の実施の形態に係る表示装置の更新領域検出部の構成例を示すブロック図である。
【図４】第３の実施の形態に係る表示装置の更新領域検出部の構成例を示すブロック図である。
【図５】第３の実施の形態に係る表示装置の画面に対して設定されたブロックを示す図である。
【図６】更新領域検出部を液晶表示パネルのドライバＩＣに適用した例を示す図である。
【図７】本開示が適用されるテレビジョンセットの外観を示す斜視図である。
【発明を実施するための形態】
【００１５】
以下、本技術の実施の形態を図面を参照して詳細に説明する。
【００１６】
図１は実施の形態に係る表示装置の構成を示すブロック図である。
【００１７】
表示装置は、更新領域検出部１と、駆動アンプ２と、液晶表示パネル３とを備えている。ここで、液晶表示パネル３は、画素毎にその液晶を表示制御させるための画素データが記憶されるメモリ４（またはメモリ効果のあるセル）および交流反転用ドライバ５を備えている（図では、１画素分だけ示している）。メモリ４および交流反転用ドライバ５は、画像表示部を構成する液晶画素の下部に薄膜トランジスタを用いてモノリシックに形成され、メモリ４は、ＳＲＡＭまたはＤＲＡＭ方式で形成されている。
【００１８】
このように画素毎にメモリ４を持つ液晶表示パネル３は、駆動アンプ２によって駆動するように接続され、駆動アンプ２は、更新領域検出部１から送信される画像データを受けるように接続されている。
【００１９】
更新領域検出部１は、今回送られた画像データのうち、前回までのフレームの画像データとの間に書き換えのあった領域を検出し、書き換えのあった領域（更新領域）のみのデータを駆動アンプ２に送信する。駆動アンプ２は、更新領域のみのデータを対応する画素に送信する。液晶表示パネル３では、書き換えのない画素は、メモリ４が保持していたデータに応じた表示を行い、更新される画素では、送信されたデータをメモリ４が保持し、そのデータに応じた表示が行われる。
【００２０】
送られてきた画像データに部分的な書き換えがあるかどうかを判断し、書き換えの領域があれば、駆動アンプ２は、液晶表示パネル３に対してその領域のみのデータだけしか送信しないので、データ送信に要する電力消費を大幅に削減することができる。
【００２１】
次に、更新領域検出部１の構成について、更新領域の単位毎に具体的に説明する。
【００２２】
図２は第１の実施の形態に係る表示装置の更新領域検出部の構成例を示すブロック図である。
【００２３】
第１の実施の形態に係る表示装置の更新領域検出部１０は、１フレーム分の記憶容量を有するフレームメモリ１１と、更新画素を検出する比較部１２とを有し、更新領域検出部１０の入力部には、減色処理部１３が配置されている。この更新領域検出部１０は、送られてきた画像データを、一旦、フレームメモリ１１に保持しておき、次に、比較部１２がフレームメモリ１１の画像データと送られてきた画像データとを比較し、更新されている画素データだけを液晶表示パネル３へ出力する。
【００２４】
送られてきた画像データに対して更新領域検出部１０が更新領域の検出をする前に、まず、減色処理部１３が、画像データの減色処理を行っている。これは、液晶の各画素に画像データを記憶するメモリ４を内蔵したタイプの液晶表示パネル３では、画素が表示できる階調が限られる（多くの場合、１ビットから３ビット程度になる）場合が多いことによる。すなわち、メモリ４は、たとえば、ＳＲＡＭ方式のものであると、１ビット当り６つのトランジスタが必要になる。一方、フルカラーを表示するには、赤、青、緑の画素を、それぞれ８ビット（２５６階調）で構成する必要がある。製造上、各画素に６ビット分の多数のトランジスタを実装することが難しいので、元の画像を減色することが必要となる。ここでは、メモリ４は、赤、青、緑の各色で２ビット、合計で６ビットとしているので、減色処理部１３は、２４ビットで表現される１６７７７２１６色を６ビットで表現できる６４色に減色する処理をすることになる。原色処理の方法については、誤差拡散法などいくつかの確立された技術を用いることができる。
【００２５】
減色処理部１３にて減色処理された画像データは、色情報としては最初の２４ビットから６ビットに減っており、そのため、フレームメモリ１１も、１画素当り６ビットで１フレーム分の記憶容量を有している。
【００２６】
比較部１２は、最初は、減色処理部１３によって減色処理された１フレーム分の画像データをフレームメモリ１１に書き込み、また、液晶表示パネル３にも送信する。画像データを受信した液晶表示パネル３では、画像データの画素データを画素毎に表示させるとともにメモリ４に記憶させる。
【００２７】
次のフレーム周期では、比較部１２は、減色処理部１３から出力された画素データと、フレームメモリ１１から読み出した同じ表示アドレスを有する画素データとを順次比較して、両者のデータが一致しているかどうかを判断する。
【００２８】
この比較の結果、データが一致していれば、その画素は、静止画を構成している画素であると判断され、比較部１２は、その画素に関し、それ以上は何もしない。すなわち、比較部１２は、液晶表示パネル３に対して何も信号の送信は行わない。このとき、液晶表示パネル３の対応する画素では、メモリ４に保持された画素データにより表示が維持されている。
【００２９】
一方、両者のデータが不一致の場合、その画素は動画を構成している画素であると判断され、比較部１２は、減色処理部１３から出力されたその画素データをフレームメモリ１１に書き込んで更新するとともに、液晶表示パネル３に更新画素データとして送信する。液晶表示パネル３の対応する画素では、対応する画素の表示が更新画素データによって更新されるとともにメモリ４のデータも更新される。
【００３０】
このように、この更新領域検出部１０は、動画と判定した画素データだけを更新画素データとして液晶表示パネル３に送り、静止画と判定した画素データは送らないので、その分、消費電力を低減することができる。また、この更新領域検出部１０は、画素同士の比較であるため、この比較に使用した画素データは、液晶表示パネル３への更新画素データとして使用することができる。
【００３１】
以上のように、この更新領域検出部１０は、静止画と動画とが混在した画像に対して、消費電力を低減することができ、特に、静止画像が多い画像ほど消費電力低減効果を高くすることができる。
【００３２】
図３は第２の実施の形態に係る表示装置の更新領域検出部の構成例を示すブロック図である。
【００３３】
更新領域の検出に関して、第１の実施の形態に係る表示装置の更新領域検出部１０が画素単位での比較であるのに対し、この第２の実施の形態に係る表示装置の更新領域検出部２０は、画素をライン単位に纏めて比較している。この更新領域検出部２０は、特に、横方向にスキャンして上から順にデータを書き込むタイプの線順次駆動の液晶表示パネルに適している。
【００３４】
この更新領域検出部２０は、ライン毎に画素データのチェックサムを生成するチェックサム生成部２１と、生成したチェックサムを保持するチェックサムメモリ２２と、チェックサム同士の比較を行う比較部２３とを有している。
【００３５】
チェックサム生成部２１は、ラインの画素データの値を足し合わせて、その合計値を出力するもので、ライン毎に計算される。チェックサムメモリ２２は、チェックサム生成部２１によって生成されたチェックサムを格納するもので、１フレームの行数分の格納領域を有している。
【００３６】
比較部２３は、最初は、チェックサム生成部２１によって生成された１ライン分のチェックサムをチェックサムメモリ２２に書き込み、また、液晶表示パネル３にもライン書き換え制御信号を送信する。ライン書き換え制御信号を受信した液晶表示パネル３では、画像データの画素データをライン毎に表示させるとともにメモリ４に記憶させる。以上は、最初の１フレーム分の処理が終了するまで行われる。
【００３７】
次のフレーム周期では、比較部２３は、チェックサム生成部２１によって生成されたチェックサムと、チェックサムメモリ２２から読み出した同じラインのチェックサムとを比較して、両者のチェックサムが一致しているかどうかを判断する。
【００３８】
この比較の結果、両チェックサムが一致していれば、そのラインは、静止画を構成しているラインであると判断され、比較部２３は、そのラインに関し、それ以上は何もしない。すなわち、比較部２３は、液晶表示パネル３に対してライン書き換え制御信号の送信は行わない。このとき、液晶表示パネル３の対応するラインの画素では、メモリ４に保持された画素データにより表示が維持されている。
【００３９】
一方、当該ラインの中に１点でも動画の画素が含まれるなどして両者のチェックサムが不一致の場合、そのライン全体が動画を構成していると判断される。このとき、比較部２３は、チェックサム生成部２１によって生成されたチェックサムをチェックサムメモリ２２に書き込んで更新するとともに、液晶表示パネル３にライン書き換え制御信号を送信する。液晶表示パネル３の対応するラインでは、対応する画素の表示が更新画素データによって更新されるとともにメモリ４のデータも更新される。
【００４０】
このように、この更新領域検出部２０では、動画と判定した画素データを含むラインだけが画素データの書き換えの対象と判断され、静止画と判定した画素データのラインは、画素データの書き換えの対象外と判断される。このため、画素データの書き換えの対象外となるラインでは、液晶表示パネル３に対するライン書き換え制御信号が送信されず、書き換えが発生しないので、消費電力を低減することができる。
【００４１】
この更新領域検出部２０では、前回までのフレームの画素データに関するデータを格納するメモリとして、チェックサムメモリ２２の容量をフレームメモリ１１よりも大幅に削減でき、その分、回路規模を小さくすることができる。
【００４２】
なお、このライン毎に求めたチェックサムでの比較の方法では、たとえば同じ色の壁を背景にして物体がライン方向に移動するとした動画の場合、物体のライン方向の幅が変化しないので、静止画のラインと誤認される可能性がある。このような場合には、たとえば、各画素値に水平方向の表示アドレスの値を乗算し、その値を単純加算していくことでチェックサムを生成するようにすればよい。
【００４３】
また、画素値に表示アドレスの値を乗算する場合、たとえば表示画面の水平方向の解像度が高い液晶表示パネル３では、チェックサムのビット数が非常に大きくなり、チェックサムメモリ２２も大きな容量が必要になる。このような場合には、たとえば必要なビット数のうち、下の桁幾つかのみをチェックサムとして使用することにより、チェックサムのデータ容量を削減することができる。
【００４４】
図４は第３の実施の形態に係る表示装置の更新領域検出部の構成例を示すブロック図である。
【００４５】
更新領域の検出に関して、この第３の実施の形態に係る表示装置の更新領域検出部３０は、第２の実施の形態に係る表示装置の更新領域検出部２０がライン単位で比較しているのに対し、ブロック単位で比較している。ブロックは、互いに隣接する複数ライン・複数カラムを含む小さな区画領域を意味する。ブロックを構成するラインおよびカラムの数は、少ないほど更新領域の検出精度を高めることができる。また、線順次駆動の液晶表示パネルに適用する場合は、ラインの数を１まで少なくすることができる。
【００４６】
この更新領域検出部３０は、ブロック毎に画素データのチェックサムを生成するチェックサム生成部３１と、生成したチェックサムを保持するチェックサムメモリ３２と、チェックサム同士の比較を行う比較部３３とを有している。
【００４７】
チェックサム生成部３１は、ブロック内の画素データの値を足し合わせて、その合計値を出力するもので、ブロック毎に計算される。チェックサムメモリ３２は、チェックサム生成部３１によって生成されたチェックサムを格納するもので、１フレームのブロック数分の格納領域を有している。
【００４８】
比較部３３は、最初は、チェックサム生成部３１によって生成された１ブロック分のチェックサムをチェックサムメモリ３２に書き込み、また、液晶表示パネル３にもブロック書き換え制御信号を送信する。ブロック書き換え制御信号を受信した液晶表示パネル３では、画像データの画素データをブロック毎に表示させるとともにメモリ４に記憶させる。以上は、最初の１フレーム分の処理が終了するまで行われる。
【００４９】
次のフレーム周期では、比較部３３は、チェックサム生成部３１によって生成されたチェックサムと、チェックサムメモリ３２から読み出した同じブロックのチェックサムとを比較して、両者のチェックサムが一致しているかどうかを判断する。
【００５０】
この比較の結果、両チェックサムが一致していれば、そのブロックは、静止画を構成しているブロックであると判断され、比較部３３は、そのブロックに関し、それ以上は何もしない。すなわち、比較部３３は、液晶表示パネル３に対してブロック書き換え制御信号の送信は行わない。このとき、液晶表示パネル３の対応するブロックの画素では、メモリ４に保持された画素データにより表示が維持されている。
【００５１】
一方、当該ブロックの中に１点でも動画の画素が含まれるなどして両者のチェックサムが不一致の場合、そのブロック全体が動画を構成していると判断される。このとき、比較部３３は、チェックサム生成部３１によって生成されたチェックサムをチェックサムメモリ３２に書き込んで更新するとともに、液晶表示パネル３にブロック書き換え制御信号を送信する。液晶表示パネル３の対応するブロックでは、対応する画素の表示が更新画素データによって更新されるとともにメモリ４のデータも更新される。
【００５２】
このように、この更新領域検出部３０では、動画と判定した画素データを含むブロックだけが画素データの書き換えの対象と判断され、静止画と判定した画素データのブロックは、画素データの書き換えの対象外と判断される。このため、画素データの書き換えの対象外となるブロックでは、液晶表示パネル３に対してブロック書き換え制御信号が送信されず、書き換えが発生しない分、消費電力を低減することができる。
【００５３】
なお、このブロック毎に求めたチェックサムでの比較の方法では、たとえば同じ色の壁を背景にして大きさの変化しない図形がブロック内を移動するとした動画の場合、チェックサムの値が同じとなり、静止画のブロックと誤認される可能性がある。このような場合には、たとえば、各画素値に縦横方向の表示アドレスの値を乗算し、その値を単純加算していくことでチェックサムを生成するようにすればよい。そのアドレスも、ブロック内だけに割り当てられた値を使うことにより、画面全体を表すアドレスの値よりもチェックサムのビット数を小さくすることができ、チェックサムのデータ容量を削減することができる。
【００５４】
それでも、チェックサムのビット数が大きくなる場合には、たとえば必要なビット数のうち、下の桁幾つかのみをチェックサムとして使用することにより、チェックサムのデータ容量をさらに削減することができる。その一方で、誤検出の確率は上がることになる。次に、その誤検出の確率について説明する。
【００５５】
図５は第３の実施の形態に係る表示装置の画面に対して設定されたブロックを示す図である。
【００５６】
液晶表示パネル３の画面３４は、図示の例では、縦横にそれぞれ１０分割して１００個のブロック３５が設定されている。ここで、それぞれのブロック３５の領域の誤検出の確率は、チェックサムのビット数によって求まり、さらに、ブロック３５の個数を掛けることで、画面全体での誤検出確率を見積もることができる。
【００５７】
たとえば、チェックサムのビット数が各領域に対して１２ビットであった場合、その領域における誤検出の確率は、１／４０９６となる。この領域が図５の場合は、１００個あるため、画面３４の全体での誤検出確率は、１００／４０９６＝０．０２となる。
【００５８】
誤検出があった場合、同じ誤検出でも、静止画と判定すべきところを動画と判定した場合は、同じ画素データの上書きになるので、まったく問題はない。しかし、動画として判定すべきところを静止画と誤認識した場合は、画面の更新が行われないため、動画の動きが不自然になってしまう。
【００５９】
たとえば、画面全体の１／１０程度の面積に毎秒３０フレームの動画が表示されている場合、１フレームの誤検出確率は、１０／４０９６＝０．００２で、頻度に直すと約４００フレーム（１３．７秒）に１回となり、それほど目立たないレベルである。
【００６０】
一方、毎秒６０フレームの全画面動画の場合、１００／４０９６の確率で更新が行われないということは、４０フレームで１箇所に更新が起きない可能性がある。
【００６１】
この場合には、チェックサムのビット数は、さらに多めに取るほうが良い。たとえば、２０ビットのチェックサムでは、１００／２＾２０＝９．５ｅ−５の確率となり、更新が誤って起きない頻度は、１７５秒に１箇所、すなわち約２分に１箇所となり、十分目立たないレベルにすることができる。
【００６２】
図６は更新領域検出部を液晶表示パネルのドライバＩＣに適用した例を示す図である。
【００６３】
液晶表示パネル３は、ドライバＩＣ（Integrated Circuit）３６を備えており、このドライバＩＣ３６は、ホストＩＣから送られた画像データを受け、表示セルを駆動する信号を出力する機能を有している。
【００６４】
ドライバＩＣ３６は、減色処理部１３と、更新領域検出部３０と、バッファ部３７と、複数の駆動アンプ３８とを備えている。更新領域検出部３０は、図４に示したものと同じである。バッファ部３７は、減色処理部１３にて減色処理された１ブロック分の画素データを一時的に保持しておき、更新領域検出部３０が当該ブロックの更新を検出したときには、保持されていた画素データを出力する。駆動アンプ３８は、たとえば、液晶表示パネル３の横方向のブロックの数（図５では、１０個）の分だけ備え、それぞれ、ブロック書き換え制御信号を出力する制御線３９と、画素データを出力する信号線４０とを有している。
【００６５】
以上の構成のドライバＩＣ３６によれば、画像データを処理するホストＣＰＵから画像データが送られてくると、まず、その画像データは、減色処理部１３にて適当な減色処理が行われる。減色処理された画像データは、バッファ部３７に保持されるとともに、更新領域検出部３０のチェックサム生成部３１に入力される。チェックサム生成部３１は、減色処理された画像データのチェックサムを生成し、比較部３３に送る。比較部３３は、チェックサムメモリ３２から対応するブロックのチェックサムを読み出し、新たに生成されたチェックサムとチェックサムメモリ３２から読み出したチェックサムとを比較する。
【００６６】
比較の結果、両チェックサムが一致しない場合、比較部３３は、当該ブロックに対応する駆動アンプ３８にブロック書き換え制御信号を送り、チェックサムメモリ３２の当該ブロックに対応するチェックサムを生成されたチェックサムで更新する。同時に、比較部３３は、バッファ部３７に保持されている画素データを同じ駆動アンプ３８に送出させるようにする。これにより、駆動アンプ３８は、制御線３９によってブロック書き換え制御信号を送出し、信号線４０によって更新のあった画素データを送出する。
【００６７】
両チェックサムが一致した場合には、そのブロックに関して、書き換えが必要ないので、駆動アンプ３８からブロック書き換え制御信号および画素データの送出はない。このとき、書き換えのなかった画素は、画素内のメモリ４が、画素データを保持する。
【００６８】
これによって、画像の中の更新のあった領域にのみ画素データの書き換えが起こり、必要最小限の書き換え電力で表示を実現することができる。
【００６９】
次に、本開示が適用される電子機器の具体例について説明する。
【００７０】
図７は本開示が適用されるテレビジョンセットの外観を示す斜視図である。
【００７１】
本適用例に係るテレビジョンセットは、フロントパネル５１やフィルターガラス５２などから構成される映像表示画面部５０を含み、その映像表示画面部５０として本開示による表示装置を用いることにより作製される。
【００７２】
なお、上記の実施の形態では、更新領域の検出の機能は、画像データを受けて表示する側に備えられているが、画像データを送り出すホスト機器のビデオプロセッサの側に備えていてもよい。
【符号の説明】
【００７３】
１……更新領域検出部、２……駆動アンプ、３……液晶表示パネル……、４……メモリ、５……交流反転用ドライバ、１０……更新領域検出部、１１……フレームメモリ、１２、比較部、１３……減色処理部、２０……更新領域検出部、２１……チェックサム生成部、２２……チェックサムメモリ、２３……比較部、３０……更新領域検出部、３１……チェックサム生成部、３２……チェックサムメモリ、３３……比較部、３４……画面、３５……ブロック、３６……ドライバＩＣ、３７……バッファ部、３８……駆動アンプ、３９……制御線、４０……信号線、５０……映像表示画面部、５１……フロントパネル、５２……フィルターガラス
【図１】
0005755592.tif 000002
【図２】
0005755592.tif 000003
【図３】
0005755592.tif 000004
【図４】
0005755592.tif 000005
【図５】
0005755592.tif 000006
【図６】
0005755592.tif 000007
【図７】
0005755592.tif 000008